【事件の表示】
　特許第２７５７３８９号「噴流式自動半田付装置」の請求項１ないし３に係る特許に対する特許異議の申立てについて、次のとおり決定する。
【結論】
　訂正を認める。
　特許第２７５７３８９号の請求項１ないし２に係る特許を維持する。
【理由】
１．手続の経緯
　本件特許第２７５７３８９号発明は、昭和６３年９月１３日に出願され、平成１０年３月１３日にその特許の設定登録がなされ、その後熊沢宏之より請求項１〜３の発明に係る特許異議の申立がなされ、その後、取消理由通知がなされ、その指定期間内である平成１１年６月２８日に訂正請求がなされたものである。
２．訂正の適否についての判断
Ａ．訂正の要旨
（１）訂正事項
　特許請求の範囲の記載を次のように訂正する。
「（１）プリント基板を水平方向に搬送する手段と溶融半田を上昇させるため上下が開口するとともに、鉛直に設けた前壁の上縁に略Ｕ字形部が嵌合によって着脱可能に取り付く弧状の前方整流板と、前記前壁に向かって上方が狭くなるよう傾斜した後壁の上縁に嵌合によって着脱可能に取り付く略Ｕ字形の後方整流板取付具と、下方開口に取り付く多数の貫通孔を有するプレートとを備えてなるノズル本体と、このノズル本体の上方開口縁部の後方側に、前記後方整流板取付具に傾斜角度が調整可能に枢着された平板からなる後方整流板と、この後方整流板の先端に、後方整流板を流れ落ちていく溶融半田の流れを阻止するように起立して調整可能に設置された速度調整板とを備えた噴流式自動半田付装置。
　（２）プリント基板を水平方向に搬送する手段と、溶融半田を上昇させるため上下が開口するとともに、鉛直に設けた前壁の上縁に略Ｕ字形部が嵌合によって着脱可能に取り付く弧状の前方整流板と，前記前壁に向かって上方が狭くなるよう傾斜した後壁の上縁に嵌合によって着脱可能に取り付く略Ｕ字形の後方整流板取付具と、下方開口に取り付く多数の貫通孔を有するプレートとを備えてなるノズル本体と、このノズル本体の上方開口縁部の後方側に、前記後方整流板取付具に傾斜角度が調整可能に枢着された平板からなる後方整流板と、この後方整流板の先端に、後方整流板を流れ落ちていく溶融半田の流れを阻止するように起立して調整可能に設置された速度調整板と、回動自在に支持され、一端が上記後方整流板の裏面に当接し、他端が取付台に螺合する調整ネジに当接する傾斜角度調整レバーとを備え、上記調整ネジを調整することにより上記調整レバーを介して後方整流板の傾斜角度を調整するようにした噴流式自動半田付装置。」
Ｂ．訂正の目的の適否、新規事項の存否および拡張変更の有無
　該訂正事項は、旧請求項１を削除すると共に、旧請求項２及び３のノズル本体の、
「溶融半田を上昇させるため上下が開口するとともに、下方開口に多数の貫通孔を有するプレート取り付けたノズル本体」なる構成を、
「溶融半田を上昇させるため上下が開口するとともに、鉛直に設けた前壁の上縁に略Ｕ字形部が嵌合によって着脱可能に取り付く弧状の前方整流板と、前記前壁に向かって上方が狭くなるよう傾斜した後壁の上縁に嵌合によって着脱可能に取り付く略Ｕ字形の後方整流板取付具と、下方開口に取り付く多数の貫通孔を有するプレートとを備えてなるノズル本体」なる構成に限定した上で新たに請求項Ｉ及び２とするもので、上記訂正は、特許請求の範囲の減縮を目的とするものに該当し、新規事項を追加するものでもなく、実質的に特許請求の範囲を拡張又は変更するものではない。
Ｃ．独立特許要件の判断
（１）訂正後の発明
　訂正明細書の請求項１及び２に係る発明（以下、「本件訂正発明１」及び「本件訂正発明２」という。）は、訂正された明細書および図面の記載からみて、その特許請求の範囲の請求項１及び２に記載された上記「Ａ．（１）訂正事項」に記載のとおりのものである。
（２）引用刊行物
　当審で通知した取消理由において引用された先願明細書または刊行物には次のことが記載されている。
（ａ）先願明細書（特願昭６２−２１７７１３号の願書に最初に添付された明細書又は図面（特開昭６２−１４８６８４号公報参照））：
　▲１▼プリント配線基板をノズル１３の上部開口端
１７上を水平方向に搬入及び搬出送すること、および溶融半田を上昇させるため上下が開ロするとともに、鉛直に設けた前壁の上縁に挿入部２１が嵌合によって着脱可能に取り付く弧状のフィン１８を設けること（２頁下左欄６〜１１行）。
　▲２▼ノズル本体の下方開口に多数の貫通孔を有するプレートを備えること（２頁上右欄１７〜１９行）。
　▲３▼ノズル本体の上方開ロ縁部の後方側に、傾斜角度が調整可能に枢着された前後の折り曲げ部を有するフィン１９と、このフィン１９の先端に、フィンを流れ落ちていく溶融半田の流れを阻止するように起立して調整可能に設置された堰板部３６を設けること（２頁下左欄１９行〜下右欄１６行）。
（ｂ）刊行物２（実願昭６０−６８１５６号（実開昭６１−１８５５６０号）のマイクロフィルム）：
　▲１▼噴流波を形成するＬ字型の噴流板を噴流口側の一端部に固着すること（第４頁末行〜第５頁６行）。
　▲２▼堰板を噴流板の回動先端部に上下調節可能に設けること（５頁１８行〜６頁１行）。
（ｃ）刊行物３（特開昭６２−２５９６６５号公報）　：
　▲１▼溶融半田の噴流装置において、噴射ノズル１８の底部に多数の小穴を有するバッファプレート５０を設けること（３頁下右欄１０〜１１行及び４頁下右欄１〜６行）。
（ｄ）刊行物４（特開昭５９−２０９４７５号公報）　：
　▲１▼噴流式半田付装置において、溶融半田を噴出させるノズル８’の噴出口の両側に支軸をもって回動自在に平板状の案内板を取り付けること（２頁１８行〜２０行）。
　▲２▼案内板８’の遊端近傍の下面に回転軸１１により回転されるカムを当接させ、このカムの回転により案内板８’を上下に移動させること（２頁１〜６行）。
（３）対比・判断
　本件訂正発明１と上記先願明細書及び刊行物２乃至４に記載の発明とを対比すると、先願明細書及び刊行物２乃至４には、いずれも本件訂正発明１の必須構成要件であるノズル本体が「鉛直に設けた前壁の上縁に略Ｕ字形部が嵌合によって着脱可能に取り付く弧状の前方整流板と，前記前壁に向かって上方が狭くなるよう傾斜した後壁の上縁に嵌合によって着脱可能に取り付く略Ｕ字形の後方整流板取付具」を備える構成（以下この構成を「構成Ａ」という。）について記載がない。
　そして、本件訂正発明１は、この点により、「半田の波高Ｈ、またプリント基板の搬送速度はおのおの一定にしたままで後方整流板を流れる半田の流速を自由にコントロールすることができ、結果的にプリント基板の搬送速度と半田流速の相対速度をゼロにすることができる。」という明細書記載の顕著な効果を奏するものであり、本件訂正発明１が先願明細書に記載の発明と同一であるとも、上記刊行物２乃至４に記載された発明から当業者が容易に発明をすることができたものともいえない。
　また、本件訂正発明２は、本件訂正発明１と同一の構成Ａを備えているため、やはり先願明細書に記載の発明と同一であるとも、上記刊行物記載のものから当業者が容易に発明することができたともいえない。
　また、他に本件訂正発明１及び２を拒絶すべき理由を発見しない。
　したがって、本件訂正発明１および２はいずれも特許出願の際独立して特許を受けることができない発明とすることはできない。
Ｄ．むすび
　以上のとおりであるから、上記訂正は、特許法第１２０条の４第２項及び同条第３項において準用する特許法第１２６条第２−４項の規定に適合するので、当該訂正を認める。
３．特許異議の申立てについての判断
Ａ．異議申立理由
　特許異議申立人熊沢宏之は、次の甲各号証を提出し、請求項１に係る発明は、甲第１号証の明細書および図面に記載された発明と同一であるから、特許法第２９条の２の規定により、特許を受けることができないものであり、更に請求項１乃至３に係る発明は、甲第２号証乃至第４号証刊行物に記載された発明に基づいて当業者が容易に発明をすることができたものであるから特許法第２９条第２項の規定により特許を受けることができないものであり、請求項Ｉ乃至３に係る特許を取り消すべきであると主張している。
（１）甲第１号証：特願昭６２−２１７７１３号の願書に最初に添付された明細書又は図面（特開昭６２−１４８６８４号公報参照）
（２）甲第２号証：実願昭６０−６８１５６号（実開昭６１−１８５５６０号）のマイクロフィルム
（３）甲第３号証：特開昭６２−２５９６６５号公報
（４）甲第４号証：特開昭５９−２０９４７５号公報
Ｂ．当審の判断
　そこでこの特許異議申立につき検討する。
上記甲第１号証乃至甲第４号証は、それぞれ、当審が通知した取消理由通知において引用された先願明細書及び「刊行物２」乃至「刊行物４」である。
　そして、適法になされた訂正請求により、請求項１は削除された。したがって、請求項１に係る特許に対する異議申立人の申立理由があるとはいえない。
　また、請求項２および３は訂正の結果上記の本件訂正発明１および２となった。
　そしてこれら本件訂正発明１および２は、上記２．Ｃ「独立特許要件の判断」の項において示したように取消理由通知において引用した「刊行物２」乃至「刊行物４」すなわち甲第２号証刊行物乃至甲第４号証刊行物に記載された発明に基づいて当業者が容易に発明をすることができたものとすることはできない。
　以上の通りであるから、請求項２乃至３の発明が甲第２〜４号証に記載されたものから当業者が容易に発明をすることができたとする異議申立人の主張は理由がない。
　また、他に本件訂正発明Ｉ及び２に対してなされた特許を取り消すべき理由を発見しない。
　よって、結論のとおり決定する。
【異議決定日】
平成１１年７月１５日（１９９９．７．１５）
【訂正の要旨】
訂正の要旨
訂正事項
　特許請求の範囲の減縮を目的として、特許請求の範囲の記載を次のように訂正する。
「（１）プリント基板を水平方向に搬送する手段と、溶融半田を上昇させるため上下が開口するとともに、鉛直に設けた前壁の上縁に略Ｕ字形部が嵌合によって着脱可能に取り付く弧状の前方整流板と、前記前壁に向かって上方が狭くなるよう傾斜した後壁の上縁に嵌合によって着脱可能に取り付く略Ｕ字形の後方整流板取付具と、下方開口に取り付く多数の貫通孔を有するプレートとを備えてなるノズル本体と、このノズル本体の上方開口縁部の後方側に、前記後方整流板取付具に傾斜角度が調整可能に枢着された平板からなる後方整流板と、この後方整流板の先端に、後方整流板を流れ落ちていく溶融半田の流れを阻止するように起立して調整可能に設置された速度調整板とを備えた噴流式自動半田付装置。
　（２）プリント基板を水平方向に搬送する手段と、溶融半田を上昇させるため上下が開口するとともに、鉛直に設けた前壁の上縁に略Ｕ字形部が嵌合によって着脱可能に取り付く弧状の前方整流板と，前記前壁に向かって上方が狭くなるよう傾斜した後壁の上縁に嵌合によって着脱可能に取り付く略Ｕ字形の後方整流板取付具と、下方開口に取り付く多数の貫通孔を有するプレートとを備えてなるノズル本体と、このノズル本体の上方開口縁部の後方側に、前記後方整流板取付具に傾斜角度が調整可能に枢着された平板からなる後方整流板と、この後方整流板の先端に、後方整流板を流れ落ちていく溶融半田の流れを阻止するように起立して調整可能に設置された速度調整板と、回動自在に支持され、一端が上記後方整流板の裏面に当接し、他端が取付台に螺合する調整ネジに当接する傾斜角度調整レバーとを備え、上記調整ネジを調整することにより上記調整レバーを介して後方整流板の傾斜角度を調整するようにした噴流式自動半田付装置。」
（５４）【発明の名称】
噴流式自動半田付装置
（５７）【特許請求の範囲】
（１）プリント基板を水平方向に搬送する手段と、溶融半田を上昇させるため上下が開口するとともに，
鉛直に設けた前壁の上縁に略Ｕ字形部が嵌合によって着脱可能に取り付く弧状の前方整流板と，前記前壁に向かって上方が狭くなるよう傾斜した後壁の上縁に嵌合によって着脱可能に取り付く略Ｕ字形の後方整流板取付具と，
取り付く
とを備えてなる
，前記後方整流板取付具に
（２）
プリント基板を水平方向に搬送する手段と、
鉛直に設けた前壁の上縁に略Ｕ字形部が嵌合によって着脱可能に取り付く弧状の前方整流板と，前記前壁に向かって上方が狭くなるよう傾斜した後壁の上縁に嵌合によって着脱可能に取り付く略Ｕ字形の後方整流板取付具と，
取り付く
とを備えてなる
，前記後方整流板取付具に
【発明の詳細な説明】
　　産業上の利用分野
　本発明は、プリント基板に電子部品を半田付けするときに利用できる噴流式自動半田付装置に関するものである。
　従来の技術
　プリント基板に対する抵抗、コンデンサ、ジャンパー線等の半田付けは、噴流式の半田付装置を用いて自動的に行われている。
　以下、従来のこの種の半田付装置について第３図を用いてその構成および作用を説明する。第３図において、１は半田槽、２は溶融半田、３はノズルで、上下が開口したノズル本体３ａと、溶融半田２が通過する多数の孔を有し、ノズル本体３ａの内部下方に固定されて溶融半田２の波高Ｈを決定するパンチングパネル３ｂと、ノズル本体３ａの上端において前方側に嵌合によって取付けられた前方整流板３ｃおよび同じく嵌合によって後方側に取付けられた後方整流板３ｄを主な要素として構成されている。また、図示していないが、ノズル３はダクトを介してプロペラを備える噴流源と結合されており、プロペラの回転により半田２がノズル本体３ａ内を上昇し、前方整流板３ｃ、後方整流板３ｄにそって半田槽１内に再び流れ落ちる。プリント基板４はベルトコンベア等の搬送手段によって矢印方向（後方）へ搬送され、その途中のノズル３上においてプリント基板４の半田付面が溶融半田２に接して、抵抗等の部品の半田付けが行われる。ここで、プリント基板４の搬送スピードと半田２の流速（後方整流板３ｄ上の半田の流速）を同一にすることによって、すなわちプリント基板４と半田流速の相対スピードをゼロにすることによって等価的に静止半田付状態となり、信頼性の高い自動半田付けが行えることとなる。
　たとえば、半田２の流速がプリント基板４の搬送速度より速いと、端子５が溶融半田２より離れていくポイントにおいて、端子５に対する半田２の引張りが強く半田がちぎれてしまう。このことは、端子５に残る半田２の量が多くなることを意味し、端子５間に半田ブリッジを生じてしまうという問題が発生する。特に高密度実装が要求されるプリント基板において端子間の間隔はますますせまくなる傾向にあり、その対策が待ち望まれているものである。
　発明が解決しようとする課題
　そのためには第３図において、前、後方整流板３ｃ，３ｄにおける半田流速を噴流源の回転速度によって調整する、またプリント基板４の搬送速度を調整することが考えられる。しかし、噴流源の回転速度を遅くするとノズル３からの半田２の盛り上がり（波高Ｈ）が不足してプリント基板４の半田付け面に十分に接しないという課題が生じ、一方、噴流源の回転速度を高めると逆に半田２の波高Ｈが過大になって半田２がプリント基板４の部品取付面側にまで及んで実用上不都合を起こすという課題があり、半田２の波高Ｈは常に一定にしておくことが望まれる。一方、プリント基板４の搬送速度についても生産性の面から一定のスピードが要求され、結果的にプリント基板４と半田流速の相対速度をゼロにすることは困難なものであった。
　本発明は上記課題に鑑み、ノズルの構成に工夫を加えることにより、プリント基板の搬送速度と半田流速の相対速度をゼロにし、半田付けの信頼性を高めようとするものである。
　課題を解決するための手段
　本発明の噴流式自動半田付装置は、後方整流板の傾斜角度を調整することができるように成し、さらに後方整流板の先端に、半田の流れを阻止する方向に起立する速度調整板を設けたことを特徴とする。
　作用
　本発明の噴流式自動半田付装置によれば、後方整流板の傾斜角度を調整することができるため、また速度調整板の突出度合いを調整することができるため、半田の波高Ｈ、またプリント基板の搬送速度はおのおの一定にしたままで後方整流板を流れる半田の流速を自由にコントロールすることができ、結果的にプリント基板の搬送速度と半田流速の相対速度をゼロにすることができる。
　実施例
　以下本発明の一実施例について第１図、第２図を用いて説明する。図中１は半田槽、２は溶融半田、３ａはノズル本体、３ｂはパンチングパネルで、これらは第３図と同様のものである。７はノズル本体３ａの上方開口部の前壁に嵌合によって取付けられる前方整流板、８は略Ｕ字形をなす後方整流板取付具で、ノズル本体３ａの上方開口部の後壁に嵌合、必要によってはビス締めにより取付けられる。９は後方整流板で、蝶番１０によって後方整流板取付具８に取付られる。したがって、後方整流板９はその角度が自由に調整できることとなる。１１は上記後方整流板９の角度調整用のレバーで、略くの字形をなし、その折曲部分において、半田槽１に固定された支持軸台１２にカラー１３およびビス１４によって回転自在に取付けられる。１５は調整レバー１１の回転角度、ひいては後方整流板９の角度を調整するための調整ネジで、ビス１６によって半田槽１に固定された調整ネジ取付台１７に螺合しつつ、その先端が調整レバー１１の一辺の先端に当接する。また、調整レバー１１の他辺の先端は、後方整流板９の裏面に当接する。１８は後方整流板９を流れる半田２の速度調整板で、後方整流板９の先端折曲部に複数本のビス１９によって固定される。速度調整板１８は、後方整流板９を流れ落ちる半田２をせき止めようとする方向に突出し、その突出度合いは速度調整板１８に設けた長穴２０によって調整するようにしている。
　したがって、かかる構成によれば調整ネジ１５を締めたり、ゆるめたりすることによって調整レバー１１を回動させることにより後方整流板９の傾斜角度を調整することができる。あわせて速度調整板１８の、後方整流板の主平面に対する突出度合を調整することにより、半田の逆流量を調整することができ、後方整流板９の傾斜角度と相まって自由に精度高く後方整流板９を流れ落ちる半田２の流速を調整することができ、プリント基板４の搬送速度との相対速度差をゼロにすることができる。
　この結果、プリント基板４の端子５に対して半田２の離れ方は、従来のようにちぎれるといったことがなくなる。これにより、端子５に対する半田２の付着は第３図に比較して少なくなり、半田付端子間の半田ブリッジは生じにくくなるものであり、信頼性の高い半田付けが行える。したがって、特に高密度実装基板の半田付けに利用して好適なものであり、高品質のプリント基板を作製することができる。
　なお、第２図において、２１は一対のガイド板で、上端でノズル本体３ａの開口面より高くなるように設置することにより、端部における半田のより盛り上がりをはかり、より半田付けが良好に行えるようにするものである。
　発明の効果
　以上のように、本発明によれば、後方整流板の傾斜角度を調整可能とすることにより、後方整流板上を流れ落ちていく半田の流速を調整することができ、半田ブリッジのない信頼性の高い半田付けができるものである。
　そして、速度調整板もその突出度合を調整可能とすることにより、より精度高くまた自由に半田の流速をコントロールすることができるものである。
【図面の簡単な説明】
　第１図は本発明の一実施例における噴流式自動半田付装置の側面断面図、第２図は同分解斜視図、第３図は従来の噴流式自動半田付装置の側面断面図である。
　３ａ……ノズル本体……後方整流板取付具、９……後方整流板、１０……蝶番、１１……調整レバー、１８……速度調整板。